(57)【特許請求の範囲】
【請求項１】
第１のフラット配線が後側から挿入可能であり且つ第２のフラット配線が前側から挿入可能なハウジングと、
第１のフラット配線に電気的に接するための接点と、第２のフラット配線に電気的に接するための接点とを有し、前記ハウジングに保持されている端子と、
支点部と、前記支点部から後方に伸び前記第１のフラット配線の上側又は下側に配置される第１アーム部と前記支点部から前方に伸び前記第２のフラット配線の上側又は下側に配置される第２アーム部とを有している可動部とを有し、前記第１アーム部が上側と下側のうちの一方である第１の側に傾いたときに前記第２アーム部が前記第１の側とは反対側である第２の側に弾性的に傾くように前記可動部が構成され、前記第１アーム部が前記第１の側に傾いたときに前記第１のフラット配線に第１係合部を係合させ、前記第２アーム部が前記第２の側に傾いたときに前記第２のフラット配線に第２係合部を係合させる抜け止め部材と、
前記第１アーム部を前記第１の側に押すためのアクチュエータと、を備えている
ことを特徴とするコネクタ。
【請求項２】
前記第１アーム部は前記アクチュエータに対して前記第１の側に配置され、
前記第１のフラット配線は前記第１アーム部に対して前記第１の側に配置され、
前記第２のフラット配線は前記第２アーム部に対して前記第２の側に配置される
ことを特徴とする請求項１に記載のコネクタ。
【請求項３】
前記第２係合部は前記第２アーム部に形成されている
ことを特徴とする請求項１に記載のコネクタ。
【請求項４】
前記第１係合部は前記第１アーム部に形成されている
ことを特徴とする請求項１に記載のコネクタ。
【請求項５】
前記抜け止部材は前記支点部から前側且つ前記第２の側に向かって斜めに伸びている支柱部を有している
ことを特徴とする請求項２に記載のコネクタ。
【請求項６】
第１のフラット配線が後側から挿入可能であり且つ第２のフラット配線が前側から挿入可能なハウジングと、
前記ハウジングに収容され、前記第１のフラット配線と前記第２のフラット配線とに電気的に接続するための端子と、
前記第１のフラット配線の上方に配置される押圧部を有しているアクチュエータと、を有し、
前記端子は、
支柱部と、
前記支柱部の上部から後方に伸びており前記アクチュエータの前記押圧部の上方に位置している第１の上アームと前記支柱部の上部から前方に伸びており前記第２のフラット配線の上方に位置する第２の上アームとを有し、前記第１の上アームが前記押圧部によって上側に押されたときに前記第２の上アームが弾性的に下側に傾くことができる上延伸部と、
前記第２の上アームが下側に傾くことにより前記第２のフラット配線に押しつけられる第２接点と、
前記第１のフラット配線が前記押圧部によって下側に押されたときに前記第１のフラット配線に押しつけられる第１接点と、
前記支柱部の下部から後方に伸びており前記第１のフラット配線の下方に位置する第１の下アームと前記支柱部の下部から前方に伸びており前記第２のフラット配線の下方に位置する第２の下アームのうち少なくとも一方を有している下延伸部と、を有している
ことを特徴とするコネクタ。
【請求項７】
前記支柱部から後方に伸びており、前記アクチュエータの前記押圧部と前記第１のフラット配線との間に位置する中間アームを有し、
前記第１接点は前記中間アームと前記第１の下アームのうち少なくとも一方に設けられている
ことを特徴とする請求項６に記載のコネクタ。
【請求項８】
前記支柱部の前記上部の位置は、前記支柱部の前記下部の位置に対して、前方又は後方にずれている
ことを特徴とする請求項６に記載のコネクタ。
【請求項９】
前記第１の下アームは、前記ハウジングの後端よりも後方に位置し前記コネクタが配置される基板に固定するための固定部を有している
ことを特徴とする請求項６に記載のコネクタ。
【請求項１０】
前記第２の下アームは、前記ハウジングの前端よりも前方に位置し前記コネクタが配置される基板に固定するための固定部を有している
ことを特徴とする請求項６に記載のコネクタ。
【請求項１１】
前記第２接点は、前記第２の上アームと前記第２の下アームのうち少なくとも一方に設けられている
ことを特徴とする請求項６に記載のコネクタ。
【発明の詳細な説明】
【技術分野】
【０００１】
本発明はコネクタに関する。
【背景技術】
【０００２】
下記特許文献１及び２には、２枚のフレキシブルプリント基板（以下では、フラット配線と称する）を相互に接続するためのコネクタが開示されている。このコネクタは、その前側と後側とから２枚のフラット配線がそれぞれ挿入できるように構成されている（以下、２枚のフラット配線を、それぞれ、前フラット配線、及び、後フラット配線と称する）。
【０００３】
ここで、コネクタの端子（特許文献１における第１，第２接触子３０，４０）、及び、抜け止め部材（特許文献１における仮止め金具５０）は、その下部に前後方向に伸びている部分である可動部（特許文献１における下辺部３３，４３，５３）を有している。端子及び抜け止め部材の可動部は、中央部から後方に伸び、且つ、後フラット配線の下側に配置される部分（以下、この部分を後アーム部と称する）と、中央部から前方に伸び、且つ、前フラット配線の下側に配置される部分（以下、この部分を前アーム部と称する）とを有している。端子における後アーム部には、後フラット配線と接触する接点（特許文献１における第２能動接点３３ｂ，４３ｂ）が形成されており、前アーム部には、前フラット配線と接触する接点（特許文献１における第１能動接点３３ａ，４３ａ）が形成されている。
【０００４】
特許文献１及び２のコネクタは、端子の可動部を梃子のように動かすことにより、２枚のフラット配線と端子との電気的接続を確立している。より具体的には、アクチュエータ（特許文献１における操作レバー６０）が後側に倒されたとき、アクチュエータは、後フラット配線を後アーム部の接点に押しつけて、後フラット配線と端子とを電気的に接続する。このとき、後アーム部が下側に傾いて、梃子のように前アーム部が上側に傾くことで、前フラット配線と前アーム部の接点とが電気的に接続される。
【先行技術文献】
【特許文献】
【０００５】
【特許文献１】特許第４５９５５５９号公報
【特許文献２】特許第４５９５５６０号公報
【発明の概要】
【発明が解決しようとする課題】
【０００６】
コネクタでは、２つのフラット配線のロックが簡単な操作で実現できることが望ましい。上記特許文献１及び２のコネクタの抜け止め部材には、アクチュエータ（特許文献１における操作レバー６０）を操作することで前フラット配線に係合し、前フラット配線をロックする係合部（特許文献１における係止用突起５４ａ）が設けられている。しかし、この抜け止め部材は、後フラット配線に引っ掛かるようには構成されていない。
【０００７】
また、特許文献１及び２のコネクタの端子では、フラット配線の下側に配置される可動部が梃子のように傾く。そのため、端子の可動部を基板に固定することができないので、端子自体を基板などに固定することが難しい。また、可動部の下側に、可動部の動きを許容するクリアランスを設ける必要があるため、コネクタの高さを低減することが難しい。
【０００８】
本発明の第１の目的は、簡便な操作でフラット配線（フレキシブルプリント基板を含む）をロックできるコネクタを提供することにある。
【０００９】
本発明の第２の目的は、端子の下側部分が梃子のように傾斜することを要しないコネクタを提供することにある。
【課題を解決するための手段】
【００１０】
本発明に係るコネクタは、第１のフラット配線が後側から挿入可能であり且つ第２のフラット配線が前側から挿入可能なハウジングと、第１のフラット配線に電気的に接するための接点と、第２のフラット配線に電気的に接するための接点とを有し、前記ハウジングに保持されている端子と、支点部と、前記支点部から後方に伸び前記第１のフラット配線の上側又は下側に配置される第１アーム部と前記支点部から前方に伸び前記第２のフラット配線の上側又は下側に配置される第２アーム部とを有している可動部とを有し、前記第１アーム部が上側と下側のうちの一方である第１の側に傾いたときに前記第２アーム部が前記第１の側とは反対側である第２の側に弾性的に傾くように前記可動部が構成され、前記第１アーム部が前記第１の側に傾いたときに前記第１のフラット配線に第１係合部を係合させ、前記第２アーム部が前記第２の側に傾いたときに前記第２のフラット配線に第２係合部を係合させる抜け止め部材と、前記第１アーム部を前記第１の側に押すためのアクチュエータと、を備えていることを特徴とするコネクタである。これによれば、第１のフラット配線及び第２のフラット配線を簡便な操作でロックすることができる。
【００１１】
前記第１アーム部は前記アクチュエータに対して前記第１の側に配置され、前記第１のフラット配線は前記第１アーム部に対して前記第１の側に配置され、前記第２のフラット配線は前記第２アーム部に対して前記第２の側に配置されていてもよい。このようにすることで、第１アーム部が第１のフラット配線を第１の側に押し、第２アーム部が第２のフラット配線を第２の側に押すことで、各フラット配線をロックすることができる。
【００１２】
前記第２係合部は前記第２アーム部に形成されていてもよい。このようにすることで、第２フラット配線を確実にロックすることができる。
【００１３】
前記第１係合部は前記第１アーム部に形成されていてもよい。このようにすることで、第１フラット配線を確実にロックすることができる。
【００１４】
前記抜け止部材は前記支点部から前側且つ前記第２の側に向かって斜めに伸びている支柱部を有していてもよい。このようにすることで、より簡便に第１のフラット配線及び第２のフラット配線をロックすることができる。
【００１５】
また、本発明に係るコネクタは、第１のフラット配線が後側から挿入可能であり且つ第２のフラット配線が前側から挿入可能なハウジングと、前記ハウジングに収容され、前記第１のフラット配線と前記第２のフラット配線とに電気的に接続するための端子と、前記第１のフラット配線の上方に配置される押圧部を有しているアクチュエータと、を有し、前記端子は、支柱部と、前記支柱部の上部から後方に伸びており前記アクチュエータの前記押圧部の上方に位置している第１の上アームと前記支柱部の上部から前方に伸びており前記第２のフラット配線の上方に位置する第２の上アームとを有し、前記第１の上アームが前記押圧部によって上側に押されたときに前記第２の上アームが弾性的に下側に傾くことができる上延伸部と、前記第２の上アームが下側に傾くことにより前記第２のフラット配線に押しつけられる第２接点と、前記第１のフラット配線が前記押圧部によって下側に押されたときに前記第１のフラット配線に押しつけられる第１接点と、前記支柱部の下部から後方に伸びており前記第１のフラット配線の下方に位置する第１の下アームと前記支柱部の下部から前方に伸びており前記第２のフラット配線の下方に位置する第２の下アームのうち少なくとも一方を有している下延伸部と、を有していることを特徴とするコネクタである。これによれば、端子の下側部分が梃子のように傾斜することなく、第１のフラット配線及び第２のフラット配線と電気的に接続することができる。
【００１６】
前記支柱部から後方に伸びており、前記アクチュエータの前記押圧部と前記第１のフラット配線との間に位置する中間アームを有し、前記第１接点は前記中間アームと前記第１の下アームのうち少なくとも一方に設けられていてもよい。このようにすることで、より確実に第１のフラット配線と電気的に接続することができる。
【００１７】
前記支柱部の前記上部の位置は、前記支柱部の前記下部の位置に対して、前方又は後方にずれている。このようにすることで、このようにすることで、第１のフラット配線及び第２のフラット配線にかかる端子の接圧を調整することができる。
【００１８】
前記第１の下アームは、前記ハウジングの後端よりも後方に位置し前記コネクタが配置される基板に固定するための固定部を有していてもよい。このようにすることで、コネクタの端子を基板上に直接固定することができる。
【００１９】
前記第２の下アームは、前記ハウジングの前端よりも前方に位置し前記コネクタが配置される基板に固定するための固定部を有していてもよい。このようにすることで、コネクタの端子を基板上に直接固定することができる。
【００２０】
前記第２接点は、前記第２の上アームと前記第２の下アームのうち少なくとも一方に設けられていてもよい。このようにすることで、より確実に第２のフラット配線と電気的に接続することができる。
【図面の簡単な説明】
【００２１】
【図１】実施形態に係るコネクタの斜視図である。
【図２】実施形態に係るコネクタの斜視図である。
【図３】実施形態に係るコネクタの上面図である。
【図４】実施形態に係るコネクタの断面図である。
【図５】実施形態に係るコネクタの断面図である。
【図６】実施形態に係るコネクタの断面図である。
【図７】実施形態に係るコネクタの断面図である。
【図８】実施形態に係るコネクタの断面図である。
【図９】実施形態に係るコネクタの断面図である。
【図１０】変形例に係るコネクタの概略断面図である。
【図１１】変形例に係るコネクタの概略断面図である。
【図１２】変形例に係るコネクタの概略断面図である。
【発明を実施するための形態】
【００２２】
以下に、本発明を実施するための形態（以下、実施形態と呼ぶ）について図１〜図１２を参照しながら説明する。以下の説明では、各図のＸ１，Ｘ２が示す方向を、それぞれ左方向，右方向とする。また、各図のＹ１，Ｙ２が示す方向をそれぞれ前方，後方とする。また、各図のＺ１，Ｚ２が示す方向をそれぞれ上方，下方とする。
【００２３】
なお、本明細書の開示は本発明の一例にすぎず、本発明の主旨を保った適宜変更であって当業者が容易に想到し得るものは本発明の範囲に含まれる。また、図面で示す各部の幅、厚さ及び形状等は模式的に表されており、本発明の解釈を限定するものではない。
【００２４】
［１．コネクタの外観］
図１は、本実施形態に係るコネクタ１の斜視図である。図１に示すように、本実施形態に係るコネクタ１は、ハウジング２と、アクチュエータ３を含んで構成される。
【００２５】
図２は、本実施形態に係るコネクタ１の斜視図であり、図１において後フラット配線９１と、前フラット配線９２を接続した場合を示している。図２に示すように、ハウジング２には、後フラット配線９１が後側から挿入可能であり、前フラット配線９２が前側から挿入可能である。
【００２６】
ここで、アクチュエータ３はハウジング２に接続されており、作業者は、アクチュエータ３を上方に引き起こしたり、後ろに押し倒したりすることが可能である。より具体的には、アクチュエータ３は、ハウジング２に対して略垂直に引き起こされた姿勢（図１参照）（以降、リリース姿勢と称する）と、ハウジング２に対して略平行に押し倒された姿勢（図２参照）（以降、ロック姿勢と称する）との間で動くことが可能である。アクチュエータ３がロック姿勢にされることで、後フラット配線９１と前フラット配線９２は、ハウジング２の内部でロックされる。また、アクチュエータ３がリリース姿勢にされることで、後フラット配線９１と前フラット配線９２は、ロック（固定）された状態から解除される。
【００２７】
なお、図２の斜視図において、アクチュエータ３がロック姿勢となることで、抜け止め部材４と、奇数端子５と、偶数端子６が、アクチュエータ３に設けられたスリット３１から現れる。
【００２８】
図３は、本実施形態に係るコネクタ１の上面図である。図３に示すように、ハウジング２には、複数の奇数端子５と複数の偶数端子６とが互い違いに、所定のピッチ毎に配列されている。また、これらの端子群の左右の外側を挟むように、２つの抜け止め部材４が配置されている。
【００２９】
奇数端子５及び偶数端子６は、金属などの弾性変形可能な導電材料により形成される。ここで、前フラット配線９２の上面と下面には、複数の導電線９４が所定のピッチ毎に配置されており（図２）、これと同様に、後フラット配線９１にも、複数の導電線９３が所定のピッチ毎に配列されている。ハウジング２の内部において、奇数端子５及び偶数端子６が、複数の導電線９３，９４のそれぞれに接触することで、コネクタ１と、後フラット配線９１及び前フラット配線９２は電気的に接続される。なお、後フラット配線９１の導電線９３は、後フラット配線９１の上面と下面のうちの少なくとも一方に配置されればよい。このことは、前フラット配線９２についても同様である。
【００３０】
また、抜け止め部材４は、金属などの弾性変形可能な材料により形成される。抜け止め部材４は、後フラット配線９１及び前フラット配線９２を、ハウジング２の内部でロックする。
【００３１】
［２．抜け止め部材］
以下では、抜け止め部材４の詳細について、図４〜図５の断面図に基づいて説明する。
【００３２】
図４は、本実施形態に係るコネクタ１の断面図であり、その切断面は図３のＩＶ−ＩＶ線で示されている。図４に示すように、コネクタ１の内部には、抜け止め部材４が設けられている。
【００３３】
抜け止め部材４は、支柱部４１と、支柱部４１の上端と接続し、ハウジング２の上壁２３に沿って前後方向に伸びている延伸部４２と、支柱部４１の下端と接続し、ハウジング２の下壁２５に沿って前後方向に伸びている可動部４３を有している。延伸部４２の前方には固定部４２ｂが形成されており、この固定部４２ｂがハウジング２の壁部（例えば、ハウジング２の上壁２３と中壁２４とを含む、互いに対向する１組以上の壁部）に挟持されることにより、抜け止め部材４はハウジング２の内部で固定される。
【００３４】
また、支柱部４１の下端は可動部４３に接続されており、可動部４３は、支柱部４１の下端を支点として、或いは、支柱部４１自体がその上端を支点として弾性的に撓むことにより、上下方向に動くことが可能である。なお、以下の説明では、支柱部４１の下端の支点となる部分を支点部４１ａと称する。
【００３５】
また、抜け止め部材４の可動部４３は、支点部４１ａから後方に伸びる第１アーム部４３ａと、支点部４１ａから前方に伸びる第２アーム部４３ｂにより形成される。ここで、第１アーム部４３ａが下側に傾いた場合、第２アーム部４３ｂは、支点部４１ａを支点として、上側に弾性的に傾くように形成されている。なお、図４に示すように、ハウジング２の前面には、前フラット配線９２を挿入するための開口部２１が形成されており、ハウジング２の後面には、後フラット配線９１を挿入するための開口部２２が形成されている。
【００３６】
図５は、本実施形態に係るコネクタ１の断面図であり、図４において後フラット配線９１と、前フラット配線９２とを接続した場合を示している。図５に示すように、第１アーム部４３ａは、後フラット配線９１が挿入されるスペースの上側に配置され、第２アーム部４３ｂは、前フラット配線９２が挿入されるスペースの下側に配置される。より具体的には、可動部４３は後方から前方に向かうにつれて下方向に傾斜する傾斜部４３ｃを有し、この段差を利用して、後フラット配線９１と前フラット配線９２を挿入するためのスペースが設けられており、第１アーム部４３ａは後フラット配線９１の上側に、第２アーム部４３ｂは前フラット配線９２の下側にそれぞれ配置される。
【００３７】
抜け止め部材４は、ハウジング２の内部に挿入された後フラット配線９１と前フラット配線９２をロックする。以下では、抜け止め部材４が各フラット配線をロックするまでの流れを説明する。
【００３８】
はじめに、アクチュエータ３が押し倒されてロック姿勢にされると、第１アーム部４３ａは下側に押される。より具体的には、アクチュエータ３の左側（図５においては手前側）には、第１アーム部４３ａを下側に押すためのカム部３２が配置されており、アクチュエータ３がロック姿勢になることで、カム部３２の向きが変化して、延伸部４２において後方に伸びる接圧部４２ａと、第１アーム部４３ａとの双方を押し広げる。また、アクチュエータ３は、第１アーム部４３ａの後端を押し下げる。これにより、第１アーム部４３ａは、アクチュエータ３によって下方向に押し込まれる。なお、第１アーム部４３ａの後端は上方に出っ張っており、この部分が返しとなって、カム部３２並びにアクチュエータ３の抜けを防止している。
【００３９】
ここで、第１アーム部４３ａの下側には、後フラット配線９１と係合するための突起である第１係合部４４ａが形成されている。第１アーム部４３ａが下側に傾いたときに、第１係合部４４ａの壁面Ｃ１は、後フラット配線９１の右端（又は左端）の付近に設けられた縁部９５に引っ掛かり、第１係合部４４ａは後フラット配線９１に係合する。これにより、後フラット配線９１は、ハウジング２の内部でロックされる。
【００４０】
一方、第１アーム部４３ａが下方向に押し下げられると、支点部４１ａを支点として可動部４３が弾性的に傾いたり、支柱部４１が弾性的に傾いたりすることによって、第２アーム部４３ｂが弾性的に上方向に持ち上がる。
【００４１】
ここで、第２アーム部４３ｂには、前フラット配線９２と係合するための突起である第２係合部４４ｂが形成されている。第２アーム部４３ｂが上側に傾いたときに、第２係合部４４ｂの壁面Ｃ２は、前フラット配線９２に設けられた縁部９６に引っ掛かり、第２係合部４４ｂは前フラット配線９２に係合する。これにより、前フラット配線９２も、ハウジング２の内部でロックされる。
【００４２】
また、アクチュエータ３が押し上げられリリース状態にされると、第１アーム部４３ａに対する下方向への力がなくなり、可動部４３は、傾いた状態から元の状態に戻る。そうすると、第１係合部４４ａと第２係合部４４ｂは、後フラット配線９１と前フラット配線９２からそれぞれ離れるため、各フラット配線は、ロックされた状態から解除される。
【００４３】
このように、抜け止め部材４は、アクチュエータ３の姿勢に応じて、後フラット配線９１と前フラット配線９２をロックするため、作業者は、簡便な操作で各フラット配線をロックすることが可能である。
【００４４】
なお、抜け止め部材４の支柱部４１は、支点部４１ａから前方且つ上方に向かって斜めに伸びるように形成されている。このように支柱部４１を形成することで、前フラット配線９２を配置するための奥行を確保できるとともに、支柱部４１の長さを確保できる。また、支柱部４１の長さを確保することで、支柱部４１自体が弾性的に撓みやすくなるため、可動部４３を上下方向に動かしやすくなり、第１アーム部４３ａを押す力が弱くても各フラット配線をロックすることができるようになる。即ち、作業者はより簡便に各フラット配線をロックすることができるようになる。
【００４５】
［３．奇数端子］
次に、コネクタ１に設けられる奇数端子５の詳細について、図６〜図７の断面図に基づいて説明する。
【００４６】
図６は、本実施形態に係るコネクタ１の断面図であり、その切断面は図３のＶＩ−ＶＩ線で示されている。図６に示すようにコネクタ１の内部には、奇数端子５が設けられている。
【００４７】
奇数端子５は、クランク状の支柱部５１と、支柱部５１の上端に接続し、ハウジング２の上壁２６に沿って配置される上延伸部５２と、支柱部５１の下端に接続し、ハウジング２の下壁２７に沿って前後方向に伸びている下延伸部５３とを有している。支柱部５１の上部（以降、上支柱部５１ａと称する）の位置は、支柱部５１の下部（以降、下支柱部５１ｂと称する）の位置よりも前方にずれて形成されており、奇数端子５は、上支柱部５１ａと下支柱部５１ｂとの間から後方に伸びる中間アーム部５４を有している。なお、上支柱部５１ａの位置は、下支柱部５１ｂの位置の後方側にずれていてもよい。
【００４８】
また、奇数端子５の上延伸部５２には、上支柱部５１ａから後方に伸びている第１の上アーム部５２ａと、上支柱部５１ａから前方に伸びている第２の上アーム部５２ｂが形成されており、下延伸部５３には、下支柱部５１ｂから後方に伸びる第１の下アーム部５３ａと、この下支柱部５１ｂから前方に伸びる第２の下アーム部５３ｂが形成されている。
【００４９】
ここで、第１の下アーム部５３ａの後端（即ち、下延伸部５３の後端）には固定部５３ｃが形成されている。固定部５３ｃは、ハウジング２の後端よりも後方（具体的には、下壁２７の縁の後方）に配置されている。また、固定部５３ｃは、コネクタ１が配置される基板（図示せず）に直接固定されるため、奇数端子５は基板上に確実に固定される。また、固定部５３ｃを、基板上に設けられた配線（例えば、プリント配線など）に接して固定することにより、コネクタ１と基板上の配線とを電気的に接続することが可能である。なお、固定部５３ｃは、半田などの導電接着剤を用いて固定されてよい。
【００５０】
図７は、本実施形態に係るコネクタ１の断面図であり、図６において後フラット配線９１と、前フラット配線９２とを接続した場合を示している。図７に示すように、奇数端子５の中間アーム部５４は、後フラット配線９１の上方（即ち、後フラット配線９１の挿入スペースの上方）に配置されており、その上方には、アクチュエータ３のカム部３３が、さらにその上方には、第１の上アーム部５２ａが、それぞれ配置されている。また、第１の下アーム部５３ａは、後フラット配線９１の下方に配置されている。
【００５１】
また、前フラット配線９２の上方（即ち、前フラット配線９２の挿入スペースの上方）には、第２の上アーム部５２ｂが配置され、その下方には、第２の下アーム部５３ｂが配置される。
【００５２】
奇数端子５は、後フラット配線９１と前フラット配線９２とを電気的に接続するとともに、これらのフラット配線をロックする。
【００５３】
はじめに、図７に示したように、アクチュエータ３が押し倒されロック姿勢にされると、アクチュエータ３のカム部３３は、ハウジング２の内部で向きを変え、第１の上アーム部５２ａと中間アーム部５４とを押し広げる。このように、第１の上アーム部５２ａが上側に押されて、第１の上アーム部５２ａは上側に傾く。
【００５４】
上延伸部５２は、支柱部５１の上端を支点として梃子のように動くため、第１の上アーム部５２ａが上側に傾くと、第２の上アーム部５２ｂは下側に傾く。第２の上アーム部５２ｂには、前フラット配線９２と接触するための接点５５ｂが形成されており、第２の上アーム部５２ｂが下側に傾くことで、接点５５ｂは、前フラット配線９２に押し付けられて、前フラット配線９２の上面に配置された複数の導電線９４のうちの１つと接触する。
【００５５】
なお、第２の上アーム部５２ｂは、その途中で折り返すように形成されているが、この折り返しの位置を変えることによって、第２の上アーム部５２ｂの長さを調整し、接点５５ｂにおける接触力を調整することが可能である。
【００５６】
一方、ロック状態にされたアクチュエータ３と、アクチュエータ３のカム部３３は、中間アーム部５４を下側に押す。中間アーム部５４には、後フラット配線９１接触するための接点５５ａが形成されており、中間アーム部５４が下側に押されることで、接点５５ａは、後フラット配線９１に押し付けられ、後フラット配線９１の上面に配置された複数の導電線９３のうちの１つと接触する。
【００５７】
中間アーム部５４が下側に押されることで、後フラット配線９１も接点５５ａを介して下側に押される。ここで、第１下アーム部５３ａ側にも、後フラット配線９１と接触するための接点５６ａが設けられており、後フラット配線９１が下側に押されることで、接点５６ａは、後フラット配線９１に押し付けられて、後フラット配線９１の下面に配置された複数の導電線９３のうちの１つと接触する。
【００５８】
第１の下アーム部５３ａは、後フラット配線９１により下方に押される。この際、下延伸部５３はハウジング２の下壁２７に接して配置されるため、第１の下アーム部５３ａが下方に押されても、下延伸部５３は梃子のように傾かない。しかし、第１の上アーム部５２ａが上側に傾くことにより支柱部５１が上方に持上げられるため、下延伸部５３は弓なりに変形し、第１の下アーム部５３ａが下側に押さえつけられた状態で、第２下アーム部５３ｂは上方に持ち上がる。なお、下延伸部５３の後端の固定部５３ｃを基板上に固定することにより、第２下アーム部５３ｂを持ち上げるための応力は安定する。
【００５９】
また、第２下アーム部５３ｂには、前フラット配線９２に接触するための接点５６ｂが設けられており、第２下アーム部５３ｂが上方に持ち上がることにより、接点５６ｂは前フラット配線９２に押し付けられ、前フラット配線９２の下面に配置された複数の導電線９４のうちの１つと接触する。
【００６０】
このように、アクチュエータ３が押し倒されてロック姿勢にされると、奇数端子５の接点５５ａ及び接点５６ａが後フラット配線９１を上下方向から挟み、接点５５ｂ及び接点５６ｂが前フラット配線９２を上下方向から挟む。このように、本実施形態に係るコネクタ１は、抜け止め部材４だけでなく、奇数端子５も用いて、後フラット配線９１及び前フラット配線９２をロックする。
【００６１】
［４．偶数端子］
次に、コネクタ１に設けられる偶数端子６の詳細について、図８〜図９の断面図に基づいて説明する。
【００６２】
図８は、本実施形態に係るコネクタ１の断面図であり、その切断面は図３のＶＩＩＩ−ＶＩＩＩ線で示されている。図８に示すようにコネクタ１の内部には、偶数端子６が設けられている。
【００６３】
偶数端子６は、奇数端子５と同様に、クランク状の支柱部６１と、支柱部６１の上端と繋がり、ハウジング２の上壁２８に沿って配置される上延伸部６２と、支柱部６１の下端と繋がり、ハウジング２の下壁２９に沿って前後方向に伸びている下延伸部６３とを有している。支柱部６１では、上部の上支柱部６１ａと、下部の下支柱部６１ｂが、前後方向の位置をずらして形成されている。上支柱部６１ａと下支柱部６１ｂとの間からは、中間アーム部６４が後方に伸びている。
【００６４】
また、偶数端子６の上延伸部６２には、上支柱部６１ａから後方に伸びている第１の上アーム部６２ａと、上支柱部６１ａから前方に伸びている第２の上アーム部６２ｂが形成されており、下延伸部６３には、下支柱部６１ｂから後方に伸びる第１の下アーム部６３ａと、この下支柱部６１ｂから前方に伸びる第２の下アーム部６３ｂが形成されている。
【００６５】
偶数端子６では、奇数端子５と異なり、コネクタ１が配置される基板に固定するための固定部６３ｃが、第２の下アーム部６３ｂの先端、且つ、ハウジング２の前端よりも前方に配置されている。なお、固定部６３ｃを、基板上の配線に接して固定することでも、コネクタ１と基板上の配線とを電気的に接続することが可能である。
【００６６】
図９は、本実施形態に係るコネクタ１の断面図であり、図８において後フラット配線９１と、前フラット配線９２とを接続した場合を示している。図９に示すように、偶数端子６には、奇数端子５と同様に、後フラット配線９１の導電線９３と接触するための接点６５ａ及び接点６６ａと、前フラット配線９２の導電線９４と接触するための接点６５ｂ及び接点６６ｂが設けられている。
【００６７】
偶数端子６の接点６５ａ及び接点６６ａは、奇数端子５の接点５５ａ及び接点５６ａよりも後方に配置されている。ここで、図２及び図３に示したように、奇数端子５と偶数端子６は互い違いに配列されるため、コネクタ１の後フラット配線９１との接点は、上面図において前と後ろの２列に並び、前の接点と後の接点との左右の位置がずれたジグザグの状態になるように配置される。
【００６８】
また、これに対応するように、後フラット配線９１の上面及び下面における複数の導電線９３の末端にも、ジグザグに配置された接点が設けられている。このようにすることで、各導電線９３の接点を幅広に設けることができ、各端子との接触（即ち、電気的な接続）をより確実なものとすることが可能となる。
【００６９】
一方、偶数端子６の接点６５ｂ，６６ｂは、奇数端子５の接点５５ｂ，５６ｂよりも前方に配置されているため、コネクタ１の前フラット配線９２との接点も、上面図において、ジグザグの状態になるように配置される。また、前フラット配線９２における導電線９４の接点も、千鳥状となるように広げられており、各端子との電気的な接続を、より確実なものとしている。
【００７０】
なお、これに限らず、偶数端子６の各接点は、これに対応する奇数端子５側の接点と同じ位置に配置されてもよく、導電線９３，９４の各端子との接点は、前後方向において同じ位置に形成されてもよい。
【００７１】
偶数端子６は、奇数端子５と同様に、後フラット配線９１と前フラット配線９２をロックする。より具体的には、図９に示したように、アクチュエータ３が押し倒されロック状態にされると、アクチュエータ３のカム部３４が回転し、第１の上アーム部６２ａと中間アーム部６４を押し広げる。このように、第１の上アーム部６２ａは上方に押されて、上側に傾く。
【００７２】
ここで、上延伸部６２は、支柱部６１の上端を支点として梃子のように動くため、第２の上アーム部６２ｂは下側に傾き、第２の上アーム部６２ｂに設けられた接点６５ｂが、前フラット配線９２に押しつけられる。そうすると、第２の下アーム部６３ｂに配置される接点６６ｂも、前フラット配線９２に押し付けられる。
【００７３】
支柱部６１は、第１の上アーム部６２ａが上側に傾くことにより上方に持上げられるため、下延伸部６３は弓なりに変形し、第２の下アーム部６３ｂが下側に押さえつけられた状態で、第１下アーム部６３ａは上方に持ち上がる。なお、下延伸部６３の固定部６３ｃを基板上に固定することにより、第１下アーム部６３ａを持ち上げるための応力は安定する。これにより、第１下アーム部６３ａに設けられた接点６６ａが、その上側に配置される後フラット配線９１に押し付けられる。
【００７４】
一方、ロック状態にされたアクチュエータ３や、アクチュエータ３のカム部３４が、中間アーム部６４押し込むことにより、中間アーム部６４は下側に押さる。これにより、中間アーム部６４に設けられた接点６５ａが、その下側に配置される後フラット配線９１に押し付けられる。
【００７５】
このように、アクチュエータ３が押し倒されてロック姿勢にされると、偶数端子６の接点６５ａと接点６６ａが後フラット配線９１を挟み、後フラット配線９１をロックする。また、接点６５ｂと接点６６ｂが前フラット配線９２を挟み、前フラット配線９２をロックする。
【００７６】
なお、偶数端子６の接点６５ａと接点６６ａが後フラット配線９１を挟む力（以降、後接触力と称する）と、偶数端子６の接点６５ｂと接点６６ｂが前フラット配線９２を挟む力（以降、前接触力と称する）を計測したところ、以下の結果が得られた。この結果から、上支柱部６１ａ及び下支柱部６１ｂの太さを変えたり、これらの前後方向の間隔を変えたりすることで、各フラット配線にかかる接触力は調整可能であると考えられる。このことは、奇数端子５についても同様であると考えられる。
・上支柱部６１ａを太くすると、後接触力は増大し前接触力は低下する。
・下支柱部６１ｂを太くすると、後接触力は低下し前接触力は増大する。
・上支柱部６１ａと下支柱部６１ｂとの間隔を広げると、後接触力と前接触力の双方は低下する。
【００７７】
以上のように、本実施形態に係るコネクタ１は、２つの抜け止め部材４のみならず、複数の奇数端子５と、複数の偶数端子６で後フラット配線９１及び前フラット配線９２を上下方向から挟む。このため、コネクタ１は、各フラット配線をより確実にロックすることが可能である。
【００７８】
さらに、奇数端子５の下延伸部５３と、偶数端子６の下延伸部６３は、いずれも梃子のように傾斜しないため、ハウジング２に、下延伸部５３，６３が梃子のように動く場合のクリアランスを設ける必要がない。このため、コネクタ１の高さを従来のものよりも低減することが可能である。
【００７９】
［５．変形例］
なお、本発明は以上説明した実施形態に限られず、種々の変更がなされてよい。以下、本発明を実施するための他の形態の例（変形例）について説明する。
【００８０】
［５−１．抜け止め部材について］
図１０〜図１２は、変形例に係るコネクタ１の概略断面図であり、特に、抜け止め部材４の変形例について示した図である。
【００８１】
例えば、図１０の（Ａ）に示すように、抜け止め部材４の支柱部４１は、その途中で屈曲していてもよい。このように支柱部４１が屈曲することで、支柱部４１自体が撓みやすくなり、可動部４３を上下に傾きやすくすることができる。即ち、より弱い力で第１アーム部４３ａを押し下げることができるため、作業者はより簡便に後フラット配線９１と前フラット配線９２をロックすることができる。
【００８２】
また例えば、図１０の（Ｂ）に示すように、支柱部４１の一部分を細く凹ませてもよい。このように支柱部４１を凹ませることで、支柱部４１自体が撓みやすくなるため、図１０の（Ａ）の場合と同様に、作業者はより簡便に各フラット配線をロックすることができる。
【００８３】
また例えば、図１０の（Ｃ）に示すように、抜け止め部材４の固定部４２ｂは、ハウジング２の上壁２３のみに固定されてもよい。この場合、第１アーム部４３ａが下側に押されることで、固定部４２ｂを支点として抜け止め部材４の全体が傾く。この場合においても、第１アーム部４３ａは下側に傾き、第２アーム部４３ｂは上側に傾くことにより、第１係合部４４ａを後フラット配線９１に係合し、第２係合部４４ｂを前フラット配線９２に係合することができる。即ち、この場合の抜け止め部材４も、後フラット配線９１と前フラット配線９２との双方をロックすることが可能である。
【００８４】
また例えば、図１１の（Ｄ）に示すように、抜け止め部材４の支柱部４１は、可動部４３の下側に形成されてもよい。この場合、第１アーム部４３ａが下側に押されると、可動部４３は、支柱部４１の上端を支点として梃子のように動くため、第１アーム部４３ａは下側に傾き、第２アーム部４３ｂは上側に傾く。このため、支柱部４１を可動部４３の下側に形成した場合であっても、後フラット配線９１と前フラット配線９２との双方をロックすることが可能である。
【００８５】
また例えば、図１１の（Ｅ）に示すように、抜け止め部材４の第１アーム部４３ａは、後フラット配線９１の下側に形成されてもよい。この場合、アクチュエータ３（図示せず）が直接的に後フラット配線９１を下側に押すことにより、後フラット配線９１を第１係合部４４ａに係合させるとともに、第１アーム部４３ａを下側に押す。すると、第２アーム部４４ｂは弾性的に上側に傾くため、第２係合部４４ｂは、その上側に配置される前フラット配線９２に係合される。このように、第１アーム部４３ａの位置をフラット配線９１の下側とした場合であっても、各フラット配線をロックすることが可能である。
【００８６】
また例えば、図１２の（Ｆ）に示すように、抜け止め部材４において、第１アーム部４３ａが後フラット配線９１の下側に、第２アーム部４３ｂが後フラット配線９１の上側に形成されもよい。この場合、第１アーム部４３ａの下側に配置されるアクチュエータ３（図示せず）が第１アーム部４３ａを上方に押すことで、第１アーム部４３ａが上側に傾き、第１係合部４４ａは、その上側に配置された後フラット配線９１と係合する。そして、第２アーム部４３ｂが弾性的に下側に傾くことで、第２係合部４４ｂは、その下側に配置された前フラット配線９２と係合する。このように、第１アーム部４３ａを後フラット配線９１の下側に、第２アーム部４３ｂを前フラット配線９２の上側にそれぞれ配置した場合であっても、抜け止め部材４は、各フラット配線をロックすることが可能である。
【００８７】
また例えば、図１２の（Ｇ）に示すように、抜け止め部材４において、第１アーム部４３ａが後フラット配線９１の下側に、第２アーム部４３ｂが後フラット配線９１の下側に形成されてもよい。この場合、アクチュエータ３（図示せず）が直接的に後フラット配線９１を上方に押すことで、第１係合部４４ａは、後フラット配線９１と係合する。そして、第２アーム部４３ｂが弾性的に下側に傾くことで、第２係合部４４ｂは、その下側に配置された前フラット配線９２と係合する。このように、第１アーム部４３ａを後フラット配線９１の下側に、第２アーム部４３ｂを前フラット配線９２の下側にそれぞれ配置した場合であっても、抜け止め部材４は、各フラット配線をロックすることが可能である。
【００８８】
［５−２．各端子について］
以下では、奇数端子５の変形例について説明する。なお、偶数端子６については、具体的な説明を省略するが、以下の変形例は、偶数端子６に対しても同様に適用可能である。
【００８９】
実施形態（図７参照）において、奇数端子５の中間アーム部５４に設けられた接点５５ａと、第１の下アーム部５３ａに設けられた接点５６ａとの双方が、後フラット配線９１に接触する場合について説明したが、奇数端子５は、接点５５ａと接点５６ａとのうちの一方を有していれば、後フラット配線９１に電気的に接続可能であるため、奇数端子５は、接点５５ａと接点５６ａの一方を有さなくてもよい。また、奇数端子５が接点５６ａを有する場合、奇数端子５は、中間アーム部５４を有さなくてもよい。この場合、アクチュエータ３のカム部３３が直接的に後フラット配線９１を押し下げて、奇数端子５とフラット配線９１とを接触させてもよい。また、奇数端子５は、接点５５ａを有する場合、第１の下アーム部５３ａを有さなくてもよい。なお、奇数端子５は、必ずしも固定部５３ｃを有さなくてよい。
【００９０】
また、奇数端子５は、接点５５ｂと接点５６ｂとのうちの一方を有していれば、前フラット配線９２に電気的に接続可能であるため、奇数端子５は、接点５５ａと接点５６ａの一方を有さなくてもよい。また、奇数端子５は、接点５６ｂを有する場合には、第２の上アーム部５２ｂを有さなくてもよく、接点５５ｂを有する場合には、第２の下アーム部５３ｂを有さなくてもよい。
【符号の説明】
【００９１】
１  コネクタ、２  ハウジング、２１，２２  開口部、２３，２６，２８  上壁、２４  中壁、２５，２７，２９  下壁、３  アクチュエータ、３１  スリット、３２，３３，３４  カム部、４  抜け止め部材、４１  支柱部、４１ａ  支点部、４２  延伸部、４２ａ  接圧部、４２ｂ  固定部、４３  可動部、４３ａ  第１アーム部、４３ｂ  第２アーム部、４４ａ  第１係合部、４４ｂ  第２係合部、５  奇数端子、５１  支柱部、５１ａ  上支柱部、５１ｂ  下支柱部、５２  上延伸部、５２ａ  第１の上アーム部、５２ｂ  第２の上アーム部、５３  下延伸部、５３ａ  第１の下アーム部、５３ｂ  第２の下アーム部、５３ｃ  固定部、５４  中間アーム部、５５ａ，５５ｂ，５６ａ，５６ｂ  接点、６  偶数端子、６１  支柱部、６１ａ  上支柱部、６１ｂ  下支柱部、６２  上延伸部、６２ａ  第１の上アーム部、６２ｂ  第２の上アーム部、６３  下延伸部、６３ａ  第１の下アーム部、６３ｂ  第２の下アーム部、６３ｃ  固定部、６４  中間アーム部、６５ａ，６５ｂ，６６ａ，６６ｂ  接点、９１  後フラット配線、９２  前フラット配線、９３，９４  導電線、９５，９６  縁部。
【図１】
0006359468.tif 000002
【図２】
0006359468.tif 000003
【図３】
0006359468.tif 000004
【図４】
0006359468.tif 000005
【図５】
0006359468.tif 000006
【図６】
0006359468.tif 000007
【図７】
0006359468.tif 000008
【図８】
0006359468.tif 000009
【図９】
0006359468.tif 000010
【図１０】
0006359468.tif 000011
【図１１】
0006359468.tif 000012
【図１２】
0006359468.tif 000013